(57)【要約】【課題】１原子で１ｍの軌道が１．６３×１０−３１Ｊの磁気の光子が万有引力になっています。この磁気の光子の運動量は１．６３×１０−３１Ｊ・ｍです。従来、本発明者は、電子のラブの自転の軌道エネルギーの式は、１０−３３Ｊ・ｍ÷軌道又はエネルギーであると考えてきました。しかし、これで考えると、１ｍの軌道の、電子のラブの自転の軌道エネルギーは１０−３３Ｊであり、１．６３×１０−３１Ｊの約１００分の１です。万有引力定数から考えると電子のラブの自転の軌道エネルギーの式はどのようであるか。【解決手段】万有引力定数から、従来考えてきた電子のラブの自転の軌道エネルギーの式の１００倍が、真実の電子のラブの自転の軌道エネルギーの式であると考えられる。それで、ラブの自転の軌道エネルギーの式は、１０−３１Ｊ・ｍ÷軌道又はエネルギー  と考える。【選択図】図２
2005295799.tif 000002
【特許請求の範囲】
【請求項１】
どうして万有引力定数によって、電子のラブの自転の運動量が解るか。
電子のラブには磁気の性質と電気の性質がある。
磁気の性質は自転として現れる。
電気の性質は公転として現れる。
電子のラブの自転の運動量が磁気の光子の運動量に成る。
電子のラブの公転の運動量が電気の光子の運動量に成る。
万有引力は磁気の光子のエネルギーである。
万有引力定数は磁気の光子の軌道が１ｍのエネルギーである。
磁気の光子の軌道が１ｍのエネルギーは１．６３×１０−３１Ｊである。
磁気の光子の１秒間の運動量は１．６３×１０−３１Ｊ・ｍである。
磁気の光子の１秒間の運動量は、電子のラブの１秒間の自転の運動量である。
よって、電子のラブの１秒間の自転の運動量は１．６３×１０−３１Ｊ・ｍである。
【請求項２】
ラブの公転の運動量はいくらか。ラブの公転の軌道エネルギーの式はいくらか。
本発明者は今まで、ラブの公転の運動量は１０−２５Ｊ・ｍであると考えていた。しかし、万有引力が原子から出る磁気の光子のよってできる、と考えると、ラブの公転の運動量は自転の運動量の１０８倍であるから、１０−３１Ｊ・ｍ×１０８＝１０−２３Ｊ・ｍです。
ラブの公転の軌道エネルギーの式は、１０−２３Ｊ・ｍ÷軌道又はエネルギー  です。
【請求項３】
ラブの自転の運動量はいくらか。ラブの自転の軌道エネルギーの式はいくらか。
本発明者は今まで、ラブの自転の運動量は１０−３３Ｊ・ｍであると考えていた。
しかし、万有引力が原子から出る磁気の光子のよってできる、と考える。
ラブの自転の運動量が１０−３３Ｊ・ｍであると、１ｍの軌道に於ける磁気の光子のエネルキーは１０−３３Ｊになる。
しかし、万有引力を作っている１ｍの軌道に於ける磁気の光子のエネルギーは１．６３×１０３１Ｊですから、磁気の光子の１秒間の運動量は１．６３×１０−３１Ｊ・ｍです。
ラブの１秒間の自転の運動量は１．６３×１０−３１Ｊ・ｍです。
それで、ラブの自転の軌道エネルギーの式は、１．６３×１０−３１Ｊ・ｍ÷軌道又はエネルギー  です。
しかし、今回はより簡潔に、ラブの自転の運動量は１０−３１Ｊ・ｍ、ラブの自転の軌道エネルギーの式を、１０−３１Ｊ・ｍ÷軌道又はエネルギー  と考え、計算します。
【請求項４】
ラブの公転の運動によって電気ができる。
【請求項５】
ラブの自転の運動によって磁気ができる。
【請求項６】
万有引力は、ラブの自転の運動量である。
即ち、１ｍの軌道で、１０−３１Ｊの磁気エネルギーである。
【請求項７】
電気は、ラブの公転の運動量である。
即ち、１ｍの軌道で、１０−２３Ｊの電気エネルギーである。
【請求項８】
ラブの公転の運動量は電気の光子の運動量に変換し、保存される。
【請求項９】
ラブの自転の運動量は磁気の光子の運動量に変換し、保存される。
【請求項１０】
電子のラブの公転軌道はどれ位か。
ラブの公転の軌道エネルギーの式は、１０−２３Ｊ・ｍ÷軌道又はエネルギー  ですから、１０−２３Ｊ・ｍ÷（８×１０−１４Ｊ）＝１．２５×１０−１０ｍです。
【請求項１１】
１秒間に何回公転するか。１秒間に何個の電気の光子ができるか。
電子のラブの秒速を４×１０６ｍとする。
１秒間に、４×１０６ｍ÷（１．２５×１０−１０ｍ×３．１４）＝１０１６回公転する。
１秒間に１０１６個の電気の光子ができる。
【請求項１２】
電気の光子１個のエネルギーはどれ位か。
電子のラブの１秒間の運動エネルギーが電気の光子の１秒間の運動エネルギーになるから、電気の光子１個のエネルギーは
８×１０−１４Ｊ÷１０１６個＝８×１０−３０Ｊです。
【請求項１３】
電気の光子１個の運動量はいくらか。電気の光子１個の軌道エネルギーの式はどれ位か。
電気の光子１個の運動量＝電気の光子１個のエネルギー×軌道  ですから、
電気の光子１個の運動量＝８×１０−３０Ｊ×１．２５×１０−１０ｍ＝１０−３９Ｊ・ｍです。
よって、電気の光子１個の軌道エネルギーの式は、１０−３９Ｊ・ｍ÷軌道又はエネルギー  です。
【請求項１４】
１０−７ｍの軌道から光子が放出するとしますと、電気の光子１個のエネルギーはどれ位か。１秒間に放出する電気の光子１０１６個の総エネルギーはいくらか。
本発明者は、原子から放出する光子の軌道は１０−９ｍであると考えてきた。
しかし、今回の考えで、光子の軌道は１００倍に成ったので、原子から放出する光子の軌道は１０−９ｍ×１００＝１０−７ｍである。それで、原子から放出する電気の光子の軌道は１０−７ｍである。
電気の光子１個の軌道エネルギーの式は、１０−３９Ｊ・ｍ÷軌道又はエネルギー  ですから、１０−７ｍの電気の光子１個のエネルギーは、
１０−３９Ｊ・ｍ÷１０−７ｍ＝１０−３２Ｊです。
１秒間に放出する電気の光子の１０１６個の総エネルギーは、
１０−３２Ｊ×１０１６個＝１０−１６Ｊです。
【請求項１５】
１０−７ｍの軌道から、１秒間に放出する電気の光子のエネルギーは、１秒間にできた電気の光子の何倍か。
１秒間にできた電気の光子は、８×１０−１４Ｊです。
１０−７ｍの軌道から、１秒間に放出する電気の光子のエネルギーは、１０−１６Ｊです。
１０−７ｍの軌道から、１秒間に放出する電気の光子のエネルギーは、１秒間にできた電気の光子の、１０−１６Ｊ÷（８×１０−１４Ｊ）＝１．２５×１０−３倍です。１÷（１．２５×１０−３）＝８×１０２分の１です。
軌道が１０−７ｍ÷（１．２５×１０−１０ｍ）＝８×１０２倍になったので、エネルギーは８×１０２分の１になった。
【請求項１６】
１ｍの軌道では、電気の光子１個のエネルギーはいくらか。電気の光子１０１６個の総エネルギーはいくらか。
１ｍの軌道では、電気の光子１個のエネルギーは、
電気の光子１個の軌道エネルギーの式は、１０−３９Ｊ・ｍ÷軌道又はエネルギー  ですから、１０−３９Ｊ・ｍ÷１ｍ＝１０−３９Ｊです。
電気の光子１０１６個の総エネルギーは、１０−３９Ｊ×１０１６個＝１０−２３Ｊです。
【請求項１７】
１ｍの軌道に於いて、電気の光子１０１６個の総エネルギーは、１秒間にできた電気の光子のエネルギーの何倍か。
１ｍの軌道に於いて、電気の光子１０１６個の総エネルギーは１０−２３Ｊです。
１秒間にできた電気の光子のエネルギーは８×１０−１４Ｊです。
１ｍの軌道に於いて、電気の光子１０１６個の総エネルギーは、１秒間にできた電気の光子のエネルギーの、
１０−２３Ｊ÷（８×１０−１４Ｊ）＝１．２５×１０−１０倍です。１÷（１．２５×１０−１０）＝８×１０９分の１です。
軌道が、１ｍ÷（１．２５×１０−１０ｍ）＝８×１０９倍になったので、エネルギーは８×１０９分の１になった。
【請求項１８】
電子のラブの自転軌道はどれ位か。
ラブの自転の軌道エネルギーの式は、１０−３１Ｊ・ｍ÷軌道又はエネルギー  ですから、電子のラブの自転軌道は、
１０−３１Ｊ・ｍ÷（８×１０−１４Ｊ）＝１．２５×１０−１８ｍです。
【請求項１９】
１秒間に何回自転するか。１秒間に何個の磁気の光子ができるか。
電子のラブの秒速を４×１０６ｍとする。
１秒間に、４×１０６ｍ÷（１．２５×１０−１８ｍ×３．１４）＝１０２４回自転する。
１秒間に１０２４個の磁気の光子ができる。
【請求項２０】
磁気の光子１個のエネルギーはどれ位か。
電子のラブの１秒間の運動エネルギーが電気の光子の１秒間の運動エネルギーになるから、電気の光子１個のエネルギーは
８×１０−１４Ｊ÷１０２４個＝８×１０−３８Ｊです。
【請求項２１】
磁気の光子１個の運動量はいくらか。磁気の光子１個の軌道エネルギーの式はどれ位か。
磁気の光子１個の運動量＝磁気の光子１個のエネルギー×軌道  ですから、
磁気の光子１個の運動量＝８×１０−３８Ｊ×１．２５×１０−１８ｍ＝１０−５５Ｊ・ｍです。
よって、磁気の光子１個の軌道エネルギーの式は、１０−５５Ｊ・ｍ÷軌道又はエネルギー  です。
【請求項２２】
１０−７ｍの軌道から光子が放出するとしますと、磁気の光子１個のエネルギーはどれ位か。１秒間に放出する磁気の光子１０２４個の総エネルギーはいくらか。
本発明者は、原子から放出する光子の軌道は１０−９ｍであると考えてきた。
しかし、今回の考えで、光子の軌道は１００倍に成ったので、原子から放出する光子の軌道は１０−９ｍ×１００＝１０−７ｍである。それで、原子から放出する磁気の光子の軌道は１０−７ｍである。
磁気の光子１個の軌道エネルギーの式は、１０−５５Ｊ・ｍ÷軌道又はエネルギー  ですから、１０−７ｍの磁気の光子１個のエネルギーは、
１０−５５Ｊ・ｍ÷１０−７ｍ＝１０−４８Ｊです。
１秒間に放出する磁気の光子の１０２４個の総エネルギーは、
１０−４８Ｊ×１０２４個＝１０−２４Ｊです。
【請求項２３】
１０−７ｍの軌道から、１秒間に放出する磁気の光子のエネルギーは、１秒間にできた磁気の光子の何倍か。
１秒間にできた磁気の光子は、８×１０−１４Ｊです。
１０−７ｍの軌道から、１秒間に放出する磁気の光子のエネルギーは、１０−２４Ｊです。
１０−７ｍの軌道から、１秒間に放出する磁気の光子のエネルギーは、１秒間にできた磁気の光子の、１０−２４Ｊ÷（８×１０−１４Ｊ）＝１．２５×１０−１１倍です。１÷（１．２５×１０−１１）＝８×１０１０分の１です。
軌道が、１０−７ｍ÷（１．２５×１０−１８ｍ）＝８×１０１０倍になったので、エネルギーは８×１０１０分の１になった。
【請求項２４】
１ｍの軌道では、磁気の光子１個のエネルギーはいくらか。磁気の光子１０２４個の総エネルギーはいくらか。
１ｍの軌道では、磁気の光子１個のエネルギーは、
磁気の光子１個の軌道エネルギーの式は、１０−５５Ｊ・ｍ÷軌道又はエネルギー  ですから、１０−５５Ｊ・ｍ÷１ｍ＝１０−５５です。
磁気の光子１０２４個の総エネルギーは、１０−５５Ｊ×１０２４個＝１０−３１Ｊです。
この磁気の光子のエネルギーが１ｍの軌道に於けるエネルギーで、１原子でできる、万有引力定数になっています。
【請求項２５】
１ｍの軌道に於いて、磁気の光子１０２４個の総エネルギーは、１秒間にできた磁気の光子のエネルギーの何倍か。
１ｍの軌道に於いて、磁気の光子１０２４個の総エネルギーは１０−３１Ｊです。
１秒間にできた磁気の光子のエネルギーは８×１０−１４Ｊです。
１ｍの軌道に於いて、磁気の光子１０２４個の総エネルギーは、１秒間にできた磁気の光子のエネルギーの、
１０−３１Ｊ÷（８×１０−１４Ｊ）＝１．２５×１０−１８倍です。１÷（１．２５×１０−１８）＝８×１０１７分の１です。
軌道が、１÷（１．２５×１０−１８ｍ）＝８×１０１７倍になったので、エネルギーは８×１０１７分の１になった。
【請求項２６】
光子の軌道エネルギー＝運動量は、原子の中であっても、地上であっても同じです。
本発明者は、２００５年５月１０日に提出した特許願の１１番において、地上では、電気の光子の軌道エネルギーの式と、磁気の光子の軌道エネルギーの式はどれ位か。について記した。
地上では、
電気の光子１個の軌道エネルギーの式は、１０−３３Ｊ・ｍ÷軌道又はエネルギー  です。
磁気の光子の１０８個の軌道エネルギーの式は、１０−４１Ｊ・ｍ÷軌道又はエネルギー  です。
磁気の光子の１個の軌道エネルギーの式は、１０−４９Ｊ・ｍ÷軌道又はエネルギー  です。
と記したが、これは間違いです。
光子の軌道×エネルギー＝運動量は、原子の中であっても、地上であっても同じです。
電気の光子１個の運動量は、１０−３９Ｊ・ｍであり、
電気の光子１個の軌道エネルギーの式は、１０−３９Ｊ・ｍ÷軌道又はエネルギー  です。
磁気の光子１個の運動量は、１０−５５Ｊ・ｍであり、
磁気の光子１個の軌道エネルギーの式は、１０−５５Ｊ・ｍ÷軌道又はエネルギー  です。
磁気の光子１０８個の運動量は、１０−４７Ｊ・ｍであり、
磁気の光子１０８個の軌道エネルギーの式は、１０−４７Ｊ・ｍ÷軌道又はエネルギー  です。
【請求項２７】
夜行性の動物はどの軌道の光子を目に受けているか。
夜行性の動物は、原子から放出する１０−７ｍの軌道の光子を受けている。
電気の光子１個のエネルギーは、１０−３２Ｊです。
磁気の光子１個のエネルギーは、１０−４８Ｊで、１０８個のエネルギーは、１０−４０Ｊです。
以上の事をまとめて表にします。
2005295799.tif 000004
2005295799.tif 000005
【発明の詳細な説明】
【技術分野】
【０００１】  この発明は万有引力と素粒子に関する。
【背景技術】
【０００２】従来、万有引力は重さによってできるとされている。
１原子でできる万有引力は１．６３×１０−３１Ｊです。
【発明の開示】
【発明が解決しようとする課題】
【０００３】１．どうして万有引力定数によって、電子のラブの自転の運動量が解るか。
２．ラブの公転の運動量はいくらか。ラブの公転の軌道エネルギーの式はいくらか。
３．ラブの自転の運動量はいくらか。ラブの自転の軌道エネルギーの式はいくらか。
４．ラブの公転の運動によって電気ができる。
５．ラブの自転の運動によって磁気ができる。
６．万有引力は、ラブの自転の運動量である。
７．電気は、ラブの公転の運動量である。
８．ラブの公転の運動量は電気の光子の運動量に変換し、保存される。
９．ラブの自転の運動量は磁気の光子の運動量に変換し、保存される。
１０．電子のラブの公転軌道はどれ位か。
１１．１秒間に何回公転するか。１秒間に何個の電気の光子ができるか。
１２．電気の光子１個のエネルギーはどれ位か。
１３．電気の光子１個の運動量はいくらか。電気の光子１個の軌道エネルギーの式はどれ位か。
１４．１０−７ｍの軌道から光子が放出するとしますと、電気の光子１個のエネルギーはどれ位か。１秒間に放出する電気の光子１０１６個の総エネルギーはいくらか。
１５．１０−７ｍの軌道から、１秒間に放出する電気の光子のエネルギーは、１秒間にできた電気の光子の何倍か。
１６．１ｍの軌道では、電気の光子１個のエネルギーはいくらか。電気の光子１０１６個の総エネルギーはいくらか。
１７．１ｍの軌道に於いて、電気の光子１０１６個の総エネルギーは、１秒間にできた電気の光子のエネルギーの何倍か。
１８．電子のラブの自転軌道はどれ位か。
１９．１秒間に何回自転するか。１秒間に何個の磁気の光子ができるか。
２０．磁気の光子１個のエネルギーはどれ位か。
２１．磁気の光子１個の運動量はいくらか。磁気の光子１個の軌道エネルギーの式はどれ位か。
２２．１０−７ｍの軌道から光子が放出するとしますと、磁気の光子１個のエネルギーはどれ位か。１秒間に放出する磁気の光子１０２４個の総エネルギーはいくらか。
２３．１０−７ｍの軌道から、１秒間に放出する磁気の光子のエネルギーは、１秒間にできた磁気の光子の何倍か。
２４．１ｍの軌道では、磁気の光子１個のエネルギーはいくらか。磁気の光子１０２４個の総エネルギーはいくらか。
２５．１ｍの軌道に於いて、磁気の光子１０２４個の総エネルギーは、１秒間にできた磁気の光子のエネルギーの何倍か。
２６．光子の軌道エネルギー＝運動量は、原子の中であっても、地上であっても同じです。
２７．夜行性の動物はどの軌道の光子を目に受けているか。
【課題を解決するための手段】
【０００４】  本発明者は、２００５年５月１０日に提出した「素粒子３」で、１３番として、万有引力と成っている磁気の光子は、１電子から毎秒１．０４３×１０−９ｍの軌道で、８×１０−４６Ｊの磁気の光子が２×１０１４個放出します。このエネルギーは１．６３×１０−３１Ｊです。
この磁気の光子の軌道は、原子の中では１．０４×１０−９ｍで、地上に出ると、１．２５×１０−４ｍになります。と記しました。
しかし、１秒間に１０２４個できる磁気の光子のうち２×１０１４個だけが放出される事は無い。１０２４個放出される。
又、光子の軌道が大きくなると、エネルギーは減少するはずなのに、
３０番では、どうして、地上に於ける軌道エネルギーの式は、原子の中における軌道エネルギーの式の１０８倍に成るのか。
この事は、エネルギーは変わらないけれど、軌道が大きくなるという事です。と記した。
これは誤りです。
今回は、万有引力定数から電子のラブの軌道エネルギーの式（電子のラブの自転の運動量）を見直します。
万有引力定数は、１ｋｇと１ｋｇの物質が１ｍ離れた磁気の光子の軌道エネルギーです。
万有引力は磁気の光子によってできる磁気力です。
１原子で１ｍの軌道が１．６３×１０−３１Ｊの磁気の光子が万有引力になっています。
この磁気の光子の運動量は１．６３×１０−３１Ｊ・ｍです。
従来、本発明者は、電子のラブの自転の軌道エネルギーの式は、１０−３３Ｊ・ｍ÷軌道又はエネルギーであると考えてきました。
しかし、これで考えると、１ｍの軌道の、電子のラブの自転の軌道エネルギーは１０−３３Ｊであり、１．６３×１０−３１Ｊの約１００分の１です。
万有引力定数から、従来考えてきた電子のラブの自転の軌道エネルキーの式の１００倍が、真実の電子のラブの自転の軌道エネルギーの式であると考えられる。
それで、ラブの自転の軌道エネルギーの式は、１０−３１Ｊ・ｍ÷軌道又はエネルギー  と考える。
電子のラブの自転の軌道エネルギーの式は１．６３×１０−３１Ｊ・ｍ÷軌道又はエネルギー  です。
電子のラブの自転の軌道エネルギーの式を、１．６３×１０−３１Ｊ・ｍ÷軌道又はエネルギー  として考える場合、
電子のラブの自転軌道は、１．６３×１０−３１Ｊ・ｍ÷（８×１０−１４Ｊ）＝２×１０−１８ｍです。
自転の回数は１秒間に１０２４回で、１自転でできる１個の磁気の光子のエネルギーを８×１０−３８Ｊとする。電子のラブの秒速は、１０２４回×３．１４×２×１０−１８ｍ＝６．２８×１０６ｍです。
しかし、今回は、より簡潔に、電子のラブの自転の軌道エネルギーの式を、１０−３１Ｊ・ｍ÷軌道又はエネルギー  として考え、計算する。
【発明の実施態様】
【０００５】１．  どうして万有引力定数によって、電子のラブの自転の運動量が解るか。
電子のラブには磁気の性質と電気の性質がある。
磁気の性質は自転として現れる。
電気の性質は公転として現れる。
電子のラブの自転の運動量が磁気の光子の運動量に成る。
電子のラブの公転の運動量が電気の光子の運動量に成る。
万有引力は磁気の光子のエネルギーである。
万有引力定数は磁気の光子の軌道が１ｍのエネルギーである。
磁気の光子の軌道が１ｍのエネルギーは１．６３×１０−３１Ｊである。
磁気の光子の１秒間の運動量は１．６３×１０−３１Ｊ・ｍである。
磁気の光子の１秒間の運動量は、電子のラブの１秒間の自転の運動量である。
よって、電子のラブの１秒間の自転の運動量は１．６３×１０−３１Ｊ・ｍである。
２．  ラブの公転の運動量はいくらか。ラブの公転の軌道エネルギーの式はいくらか。
本発明者は今まで、ラブの公転の運動量は１０−２５Ｊ・ｍであると考えていた。しかし、万有引力が原子から出る磁気の光子のよってできる、と考えると、ラブの公転の運動量は自転の運動量の１０８倍であるから、１０−３１Ｊ・ｍ×１０８＝１０−２３Ｊ・ｍです。
ラブの公転の軌道エネルギーの式は、１０−２３Ｊ・ｍ÷軌道又はエネルギー  です。
３．  ラブの自転の運動量はいくらか。ラブの自転の軌道エネルギーの式はいくらか。
本発明者は今まで、ラブの自転の運動量は１０−３３Ｊ・ｍであると考えていた。
しかし、万有引力が原子から出る磁気の光子のよってできる、と考える。
ラブの自転の運動量が１０−３３Ｊ・ｍであると、１ｍの軌道に於ける磁気の光子のエネルギーは１０−３３Ｊになる。
しかし、万有引力を作っている１ｍの軌道に於ける磁気の光子のエネルギーは１．６３×１０−３１Ｊですから、磁気の光子の１秒間の運動量は１．６３×１０−３１Ｊ・ｍです。
ラブの１秒間の自転の運動量は１．６３×１０−３１Ｊ・ｍです。
それで、ラブの自転の軌道エネルギーの式は、１．６３×１０−３１Ｊ・ｍ÷軌道又はエネルギー  です。
しかし、今回はより簡潔に、ラブの自転の運動量は１０−３１Ｊ・ｍ、ラブの自転の軌道エネルギーの式を、１０−３１Ｊ・ｍ÷軌道又はエネルギー  と考え、計算します。
４．  ラブの公転の運動によって電気ができる。
５．  ラブの自転の運動によって磁気ができる。
６．  万有引力は、ラブの自転の運動量である。
即ち、１ｍの軌道で、１０−３１Ｊの磁気エネルギーである。
７．  電気は、ラブの公転の運動量である。
即ち、１ｍの軌道で、１０−２３Ｊの電気エネルギーである。
８．  ラブの公転の運動量は電気の光子の運動量に変換し、保存される。
９．  ラブの自転の運動量は磁気の光子の運動量に変換し、保存される。
１０．  電子のラブの公転軌道はどれ位か。
ラブの公転の軌道エネルギーの式は、１０−２３Ｊ・ｍ÷軌道又はエネルギー  ですから、１０−２３Ｊ・ｍ÷（８×１０−１４Ｊ）＝１．２５×１０−１０ｍです。
１１．  １秒間に何回公転するか。１秒間に何個の電気の光子ができるか。
電子のラブの秒速を４×１０６ｍとする。
１秒間に、４×１０６ｍ÷（１．２５×１０−１０ｍ×３．１４）＝１０１６回公転する。
１秒間に１０１６個の電気の光子ができる。
１２．  電気の光子１個のエネルギーはどれ位か。
電子のラブの１秒間の運動エネルギーが電気の光子の１秒間の運動エネルギーになるから、電気の光子１個のエネルギーは
８×１０−１４Ｊ÷１０１６個＝８×１０−３０Ｊです。
１３．  電気の光子１個の運動量はいくらか。電気の光子１個の軌道エネルギーの式はどれ位か。
電気の光子１個の運動量＝電気の光子１個のエネルギー×軌道  ですから、
電気の光子１個の運動量＝８×１０−３０Ｊ×１．２５×１０−１０ｍ＝１０−３９Ｊ・ｍです。
よって、電気の光子１個の軌道エネルギーの式は、１０−３９Ｊ・ｍ÷軌道又はエネルギー  です。
１４．  １０−７ｍの軌道から光子が放出するとしますと、電気の光子１個のエネルギーはどれ位か。１秒間に放出する電気の光子１０１６個の総エネルギーはいくらか。
本発明者は、原子から放出する光子の軌道は１０−９ｍであると考えてきた。
しかし、今回の考えで、光子の軌道は１００倍に成ったので、原子から放出する光子の軌道は１０−９ｍ×１００＝１０−７ｍである。それで、原子から放出する電気の光子の軌道は１０−７ｍである。
電気の光子１個の軌道エネルギーの式は、１０−３９Ｊ・ｍ÷軌道又はエネルギー  ですから、１０−７ｍの電気の光子１個のエネルギーは、
１０−３９Ｊ・ｍ÷１０−７ｍ＝１０−３２Ｊです。
１秒間に放出する電気の光子の１０１６個の総エネルギーは、
１０−３２Ｊ×１０１６個＝１０−１６Ｊです。
１５．  １０−７ｍの軌道から、１秒間に放出する電気の光子のエネルギーは、１秒間にできた電気の光子の何倍か。
１秒間にできた電気の光子は、８×１０−１４Ｊです。
１０−７ｍの軌道から、１秒間に放出する電気の光子のエネルギーは、１０−１６Ｊです。
１０−７ｍの軌道から、１秒間に放出する電気の光子のエネルギーは、１秒間にできた電気の光子の、１０−１６Ｊ÷（８×１０−１４Ｊ）＝１．２５×１０−３倍です。１÷（１．２５×１０−３）＝８×１０２分の１です。
軌道が１０−７ｍ÷（１．２５×１０−１０ｍ）＝８×１０２倍になったので、エネルギーは８×１０２分の１になった。
１６．  １ｍの軌道では、電気の光子１個のエネルギーはいくらか。電気の光子１０１６個の総エネルギーはいくらか。
１ｍの軌道では、電気の光子１個のエネルギーは、
電気の光子１個の軌道エネルギーの式は、１０−３９Ｊ・ｍ÷軌道又はエネルギー  ですから、１０−３９Ｊ・ｍ÷１ｍ＝１０−３９Ｊです。
電気の光子１０１６個の総エネルギーは、１０−３９Ｊ×１０１６個＝１０−２３Ｊです。
１７．  １ｍの軌道に於いて、電気の光子１０１６個の総エネルギーは、１秒間にできた電気の光子のエネルギーの何倍か。
１ｍの軌道に於いて、電気の光子１０１６個の総エネルギーは１０−２３Ｊです。
１秒間にできた電気の光子のエネルギーは８×１０−１４Ｊです。
１ｍの軌道に於いて、電気の光子１０１６個の総エネルギーは、１秒間にできた電気の光子のエネルギーの、
１０−２３Ｊ÷（８×１０−１４Ｊ）＝１．２５×１０−１０倍です。１÷（１．２５×１０−１０）＝８×１０９分の１です。
軌道が、１ｍ÷（１．２５×１０−１０ｍ）＝８×１０９倍になったので、エネルギーは８×１０９分の１になった。
１８．  電子のラブの自転軌道はどれ位か。
ラブの自転の軌道エネルギーの式は、１０−３１Ｊ・ｍ÷軌道又はエネルギー  ですから、電子のラブの自転軌道は、
１０−３１Ｊ・ｍ÷（８×１０−１４Ｊ）＝１．２５×１０−１８ｍです。
１９．  １秒間に何回自転するか。１秒間に何個の磁気の光子ができるか。
電子のラブの秒速を４×１０６ｍとする。
１秒間に、４×１０６ｍ÷（１．２５×１０−１８ｍ×３．１４）＝１０２４回自転する。
１秒間に１０２４個の磁気の光子ができる。
２０．  磁気の光子１個のエネルギーはどれ位か。
電子のラブの１秒間の運動エネルギーが電気の光子の１秒間の運動エネルギーになるから、電気の光子１個のエネルギーは
８×１０−１４Ｊ÷１０２４個＝８×１０−３８Ｊです。
２１．  磁気の光子１個の運動量はいくらか。磁気の光子１個の軌道エネルギーの式はどれ位か。
磁気の光子１個の運動量＝磁気の光子１個のエネルギー×軌道  ですから、
磁気の光子１個の運動量＝８×１０−３８Ｊ×１．２５×１０−１８ｍ−１０−５５Ｊ・ｍです。
よって、磁気の光子１個の軌道エネルギーの式は、１０−５５Ｊ・ｍ÷軌道又はエネルギー  です。
２２．  １０−７ｍの軌道から光子が放出するとしますと、磁気の光子１個のエネルギーはどれ位か。１秒間に放出する磁気の光子１０２４個の総エネルギーはいくらか。
本発明者は、原子から放出する光子の軌道は１０−９ｍであると考えてきた。
しかし、今回の考えで、光子の軌道は１００倍に成ったので、原子から放出する光子の軌道は１０−９ｍ×１００＝１０−７ｍである。それで、原子から放出する磁気の光子の軌道は１０−７ｍである。
磁気の光子１個の軌道エネルギーの式は、１０−５５Ｊ・ｍ÷軌道又はエネルギー  ですから、１０−７ｍの磁気の光子１個のエネルギーは、
１０−５５Ｊ・ｍ÷１０−７ｍ＝１０−４８Ｊです。
１秒間に放出する磁気の光子の１０２４個の総エネルギーは、
１０−４８Ｊ×１０２４個＝１０−２４Ｊです。
２３．  １０−７ｍの軌道から、１秒間に放出する磁気の光子のエネルギーは、１秒間にできた磁気の光子の何倍か。
１秒間にできた磁気の光子は、８×１０−１４Ｊです。
１０−７ｍの軌道から、１秒間に放出する磁気の光子のエネルギーは、１０−２４Ｊです。
１０−７ｍの軌道から、１秒間に放出する磁気の光子のエネルギーは、１秒間にできた磁気の光子の、１０−２４Ｊ÷（８×１０−１４Ｊ）＝１．２５×１０−１１倍です。１÷（１．２５×１０−１１）＝８×１０１０分の１です。
軌道が、１０−７ｍ÷（１．２５×１０−１８ｍ）＝８×１０１０倍になったので、エネルギーは８×１０１０分の１になった。
２４．  １ｍの軌道では、磁気の光子１個のエネルギーはいくらか。磁気の光子１０２４個の総エネルギーはいくらか。
１ｍの軌道では、磁気の光子１個のエネルギーは、
磁気の光子１個の軌道エネルギーの式は、１０−５５Ｊ・ｍ÷軌道又はエネルギー  ですから、１０−５５Ｊ・ｍ÷１ｍ＝１０−５５Ｊです。
磁気の光子１０２４個の総エネルギーは、１０−５５Ｊ×１０２４個＝１０−３１Ｊです。
この磁気の光子のエネルギーが１ｍの軌道に於けるエネルギーで、１原子でできる、万有引力定数になっています。
２５．  １ｍの軌道に於いて、磁気の光子１０２４個の総エネルギーは、１秒間にできた磁気の光子のエネルギーの何倍か。
１ｍの軌道に於いて、磁気の光子１０２４個の総エネルギーは１０−３１Ｊです。
１秒間にできた磁気の光子のエネルギーは８×１０−１４Ｊです。
１ｍの軌道に於いて、磁気の光子１０２４個の総エネルギーは、１秒間にできた磁気の光子のエネルギーの、
１０−３１Ｊ÷（８×１０−１４Ｊ）＝１．２５×１０−１８倍です。１÷（１．２５×１０−１８）＝８×１０１７分の１です。
軌道が、１÷（１．２５×１０−１８ｍ）＝８×１０１７倍になったので、エネルギーは８×１０１７分の１になった。
２６．  光子の軌道エネルギー＝運動量は、原子の中であっても、地上であっても同じです。
本発明者は、２００５年５月１０日に提出した特許願の１１番において、地上では、電気の光子の軌道エネルギーの式と、磁気の光子の軌道エネルギーの式はどれ位か。について記した。
地上では、
電気の光子１個の軌道エネルギーの式は、１０−３３Ｊ・ｍ÷軌道又はエネルギー  です。
磁気の光子の１０８個の軌道エネルギーの式は、１０−４１Ｊ・ｍ÷軌道又はエネルギー  です。
磁気の光子の１個の軌道エネルギーの式は、１０−４９Ｊ・ｍ÷軌道又はエネルギー  です。
と記したが、これは間違いです。
光子の軌道×エネルギー＝運動量は、原子の中であっても、地上であっても同じです。
電気の光子１個の運動量は、１０−３９Ｊ・ｍであり、
電気の光子１個の軌道エネルギーの式は、１０−３９Ｊ・ｍ÷軌道又はエネルギー  です。
磁気の光子１個の運動量は、１０−５５Ｊ・ｍであり、
磁気の光子１個の軌道エネルギーの式は、１０−５５Ｊ・ｍ÷軌道又はエネルギー  です。
磁気の光子１０８個の運動量は、１０−４７Ｊ・ｍであり、
磁気の光子１０８個の軌道エネルギーの式は、１０−４７Ｊ・ｍ÷軌道又はエネルギー  です。
２７．  夜行性の動物はどの軌道の光子を目に受けているか。
夜行性の動物は、原子から放出する１０−７ｍの軌道の光子を受けている。
電気の光子１個のエネルギーは、１０−３２Ｊです。
磁気の光子１個のエネルギーは、１０−４８Ｊで、１０８個のエネルギーは、１０−４０Ｊです。
以上の事をまとめて表にします。
2005295799.tif 000003
【発明の効果】
【０００６】  万有引力定数により、磁気の光子１ｍの軌道が１．６３×１０−３１Ｊです。
それで、磁気の光子の１秒間の運動量は１．６３×１０−３１Ｊ・ｍです。
磁気の光子の１秒間の運動量は、電子のラブの１秒間の自転の運動量です。
電子のラブの１秒間の自転の運動量は、１．６３×１０−３１Ｊ・ｍであるから、電子のラブの自転の軌道エネルギーの式は、１．６３×１０−３１Ｊ・ｍ÷軌道又はエネルギー  である事が理解できた。地上でも、原子の中でも、光子の運動量は変わらないので、軌道エネルギーの式も変わらないことが理解できた。
夜行性の動物は、１０−７ｍの光子を目に受けている事が理解できた。
この発明によって、原子の中の、電子のラブの自転運動量と公転運動量と電気の光子の運動量と磁気の光子の運動量と万有引力の統一ができた。
【図面の簡単な説明】
【０００７】
【図１】従来の考えである軌道とエネルギーです。原子の中において、１秒間に、１電子でできる軌道１ｍの磁気の光子のエネルギーは、１０−３３Ｊ・ｍ÷１ｍ＝１０−３３Ｊです。
【図２】万有引力定数で、原子の中において、１秒間に、１電子でできる軌道１ｍの磁気の光子のエネルギーは、１．６３×１０−３１Ｊです。
【図３】万有引力定数により、電子のラブの１秒間の運動量は１．６３×１０−３１Ｊ・ｍです。電子のラブは１．２５×１０−１８ｍの軌道を１自転し、１個の磁気の光子を作る。１個の磁気の光子のエネルギーは８×１０−３８Ｊです。
【図４】電子のラブは１０８回自転し、１公転する。１公転の軌道は１．２５×１０−１０ｍで、この電気の光子１個のエネルギーは８×１０−３０Ｊです。
【符号の説明】
１  磁気の光子の軌道
２  電子のラブ
３  電子のラブの自転軌道
４  電子のラブの公転軌道、１回の公転で、１０８個の磁気の光子ができる。
【図１】
2005295799.tif 000006
【図２】
2005295799.tif 000007
【図３】
2005295799.tif 000008
【図４】
2005295799.tif 000009